(57)【要約】    【課題】  操作簡単かつ大量に連続処理できる画鋲打ち用具の提供。    【解決手段】  画鋲打ち用具１０は本体２０と押し込み体５０からなり、本体２０は画鋲収容ケース３０、これと画鋲落下用孔３１により連通し押し棒部６０が収容されかつ先端が画鋲の打ち口となるシリンダ４０からなり、押し込み体５０は画鋲落下用孔３１位置に合わせて先端位置調節可能な押し棒部６０と把持部８０からなり、画鋲落下用孔３１はＴ字状に形成され、シリンダ４０内部の押し棒部６０移動を所定位置範囲内に規制する押さえピン４１が設けられ、押し棒部６０は落下してきた画鋲を傘部で付着させる画鋲付着部６１と、その後方に設けられた弾性手段６６とを備えてなる。【選択図】  図１Ｂ
2009297927.tif 000002
【特許請求の範囲】
【請求項１】
傘部が磁性体製の画鋲を連続的に打つことのできる、本体とこれに取り付けられる押し込み体とからなる画鋲打ち用具であって、
該本体は画鋲収容ケースと、該画鋲収容ケースとの間が画鋲落下用孔により連通していて後記押し棒部が収容されかつ先端が画鋲の打ち口となるシリンダとからなり、
該押し込み体は、該画鋲落下用孔位置に合わせて先端位置を調節可能な押し棒部と、該押し棒部に設けられていてこれを操作するための把持部とからなり、
該画鋲落下用孔は画鋲がその傘部を後方側にして落下できるよう落下方向と直交する断面がＴ字状に形成されており、
該シリンダにはその内部における該押し棒部の移動を所定位置範囲内に規制するための押さえピンが設けられ、
該押し棒部は該画鋲落下用孔から落下してきた画鋲を傘部において付着させる画鋲付着部と、該画鋲付着部の後方に設けられた弾性手段とを備えてなり、
かかる構成により、該画鋲収容ケースには複数の画鋲を収容可能であり、収容された画鋲は該画鋲落下用孔を通して該押し棒部の画鋲付着部に付着可能であり、該把持部を前方に押して移動させることによって該画鋲付着部が前方に押出され、該把持部への押しが解除されると該弾性手段により該押し込み体が元の位置に戻る、画鋲打ち用具。
【請求項２】
Ｔ字状をなす前記画鋲落下用孔のうち画鋲傘部用の孔部と連続して、画鋲傘部が案内されるガイド溝が設けられていることを特徴とする、請求項１に記載の画鋲打ち用具。
【請求項３】
前記ガイド溝の深さは、用いられる画鋲の傘部における縁−針部間距離よりも小であり、それにより、該ガイド溝に案内された画鋲は傘部の縁によって該ガイド溝内を転動可能であることを特徴とする、請求項２に記載の画鋲打ち用具。
【請求項４】
前記把持部は前記本体よりも大径の容器状の形状であることを特徴とする、請求項１ないし３のいずれかに記載の画鋲打ち用具。
【請求項５】
前記押し棒部には、前記画鋲落下用孔位置に合わせて先端位置を調節するための調節用ネジが設けられていることを特徴とする、請求項１ないし４のいずれかに記載の画鋲打ち用具。
【請求項６】
前記画鋲収容ケースは後方の第一室と、前方の第二室と、これら両室を連通させる室間孔とからなり、該第一室は画鋲が最初に収容される室であり、該第二室は該第一室から該室間孔を通して移動する画鋲を受けて連設されている前記画鋲落下用孔を通して前記シリンダ方向へと画鋲を供給するための室であることを特徴とする、請求項１ないし５のいずれかに記載の画鋲打ち用具。
【請求項７】
前記第一室は画鋲貯蔵用の室であり、前記第二室は該第一室よりも幅が狭く形成されていることを特徴とする、請求項６に記載の画鋲打ち用具。
【請求項８】
前記画鋲付着部の端面には磁石部位と磁石以外の磁性体部位が設けられていることを特徴とする、請求項１ないし７のいずれかに記載の画鋲打ち用具。
【請求項９】
前記磁石部位は前記画鋲付着部端面下段に、前記磁性体部位は同じく上段に設けられていることを特徴とする、請求項８に記載の画鋲打ち用具。
【請求項１０】
前記磁石部位と前記磁性体部位とは絶縁されており、これらを電極とする画鋲付着報知回路が設けられていることを特徴とする、請求項８または９に記載の画鋲打ち用具。
【請求項１１】
前記画鋲付着報知回路の報知手段は発光素子であり、前記画鋲付着部への画鋲付着によって前記磁石部位と前記磁性体部位とが導通し、それにより発光素子が点灯するものであることを特徴とする、請求項１０に記載の画鋲打ち用具。
【請求項１２】
前記画鋲落下用孔の下端部と前記画鋲付着部上端部との間は、画鋲一個分以上の距離により離間していることを特徴とする、請求項１ないし１１のいずれかに記載の画鋲打ち用具。
【請求項１３】
前記押し棒部には、長手方向に前記押さえピンに摺設されるガイドが設けられ、前記弾性手段は該押し棒部内に設けられていることを特徴とする、請求項１ないし１２のいずれかに記載の画鋲打ち用具。
【請求項１４】
前記本体には前記打ち口を被覆可能なキャップが附属していることを特徴とする、請求項１ないし１３のいずれかに記載の画鋲打ち用具。
【請求項１５】
画鋲抜き構造を供えていることを特徴とする、請求項１ないし１４のいずれかに記載の画鋲打ち用具。
【請求項１６】
前記画鋲抜き構造は、打ち込まれた画鋲の傘部の下に差し込むための差入れ板と、適用される画鋲の傘部厚さ以上の距離にて該差入れ板と対向して設けられた傘部押さえ板とが一体となっており、該差入れ板にはこれを画鋲傘部の下に差し込む際に画鋲の針部を通すための欠切部が設けられていることを特徴とする、請求項１５に記載の画鋲打ち用具。
【請求項１７】
前記傘部押さえ板には本画鋲抜き構造による画鋲抜きの操作を行うための画鋲抜き用把持部が設けられていることを特徴とする、請求項１６に記載の画鋲打ち用具。
【請求項１８】
打ち込まれた画鋲の傘部の下に差し込むための差入れ板と、適用される画鋲の傘部厚さ以上の距離にて該差入れ板と対向して設けられた傘部押さえ板とが一体となっている画鋲抜き用具であって、該差入れ板にはこれを画鋲傘部の下に差し込む際に画鋲の針部を通すための欠切部が設けられていることを特徴とする、画鋲抜き用具。
【請求項１９】
前記傘部押さえ板には本画鋲抜き用具の操作を行うための画鋲抜き用把持部が設けられていることを特徴とする、請求項１８に記載の画鋲抜き用具。
【発明の詳細な説明】
【技術分野】
【０００１】
本発明は画鋲打ち用具に係り、特に、従来のものと比べて操作が簡単で、かつ大量に連続処理でき、画鋲打ち作業の効率を高めることのできる画鋲打ち用具に関する。
【背景技術】
【０００２】
画鋲を刺したり抜いたりする作業を手作業で行うことは、処理量が多くなるほど、指の痛みや疲労が生じ、蓄積するため、心身に負荷が大きくなる。そこで従来、画鋲を刺したり抜いたりするための用具に関しては、相当数の技術的提案がなされてきた。たとえば後掲特許文献１に記載のものは、画鋲を確実に連続供給できることを目的とした、画鋲の供給部および画鋲の押し込み部からなる画鋲押し用具である。これは、供給部に設けた画鋲ケ−スを差し込むケ−スジョイント、押し込み部に設けた手押し用のハンドルと接続したプランジャ−、画鋲の位置を規制する弾性体、プランジャ−を引き戻すスプリングを備え、プランジャ−の往復運動により、自重によって連続的に供給された画鋲を押し込む、というものである。
【０００３】
なお本願の説明では、画鋲を押し込んで処理対象物である紙等をボードや板などに固定する動作を、「刺す」、「打つ」、「押す」、「打ち込む」等種々の用語にて記述する。本発明の説明では後述の通り、「打つ」、「打ち込む」を主として用いる。
【０００４】
また特許文献２に記載のものは、ステープラー型の用具である。これも、ハンドル部を押すことで連続的に画鋲打ち作業ができる用具の提供を目的としており、画鋲を複数個連設した詰め替え可能なマガジンを着脱自在に収納したホルダ−と、画鋲を１つずつ前方に押し出せるようにスライド板に押出片を設けたバネ部を設けた押出具と、ホルダ−に開閉自在に設けた先端部に画鋲をボ−ド等に取り付ける押込ロツドを設けた押込具とを備えたものである。
【０００５】
また特許文献３に記載のものは、画鋲を取った後すぐにその画鋲を打ち込むことができ、収納した画鋲は整列してマガジンに収納されハンドルにより画鋲打ち込み器への画鋲の移動、本体内での画鋲の移動、マガジン回転の動作が同時にできるという用具である。
【０００６】
【特許文献１】特開平０９−５８１９４号公報「画鋲押し装置」
【特許文献２】特開２００５−２１２４６号公報「画鋲打ち器」
【特許文献３】特開２００４−１１４６７２号公報「画びよう取り兼画びよう打込み器」
【発明の開示】
【発明が解決しようとする課題】
【０００７】
しかし特許文献１開示の技術では、画鋲ケースに画鋲を整列準備させる作業を行わなくてはならず、余計な手間がかかり、効率的な作業を行えない。しかも画鋲を打つことを途中でやめて打ち直そうとすると、２個の画鋲が並んでしまうことになる等、打つ準備から打ち終わるまでの間確実に１個ずつにて取り扱えない場合が生じる。画鋲を打つといういわば単純作業を連続的に処理するためには、このような事態が生じるとかえって復帰作業・準備作業が煩雑となり、作業効率上大いに問題である。
【０００８】
また、特許文献２開示の技術では、これも詰め替え用マガジンを予め準備しておかなくてはならず、しかも一度の詰替によって連続処理できる画鋲量には限界がある。大量に画鋲打ち作業をしなくてはならない場合、これらの点で不便である。
【０００９】
その他、従来文献として開示されているもの、あるいは製品化されているものを確認しても、画鋲打ちという単純作業に適した下記の各特長を備えたものは見あたらない。
＜１＞画鋲１個ずつで、確実に、打ち込みのための所定の位置に位置させる準備がなされること。
＜２＞打ち込み作業が終了するまで１個の画鋲のみが当該所定の位置に位置せしめられ、複数個が並んだり詰まったりして作業に支障を来すことがないこと。
＜３＞事前にマガジン等に画鋲を整列させるような煩雑な準備作業が不要であること。
＜４＞連続処理をできるだけ長く行えるように、画鋲をできるだけ多量に準備できること。
【００１０】
また、従来技術の中には、画鋲傘部を両側から押さえて姿勢維持させる機構の提案もあるが、逆さまにできないことを含め、実際の作業においては安定的に姿勢維持することは困難である。
【００１１】
さて一方、特許文献３開示の技術は、既に打ち込まれている画鋲を抜き取ってそれを新たな画鋲打ち作業に供するものであるが、構造が複雑であり、実用性は高くない上、先の各文献にて指摘された問題点が解決されているものでもない。また、画鋲打ち作業の準備として、画鋲を整列させる作業や、打ち込みのための所定の位置に位置させる作業における煩雑さを回避できるのであれば、敢えて抜き取った画鋲をすぐ用いる必要はない。むしろ、より単純な構造によって、画鋲抜きの作業を単独で行える方が、便利である。
【００１２】
また、画鋲抜き用具としては、バールのように、差入れ片を画鋲の傘部下に差し入れて、てこの原理にて傘部を起こす方式のものが製品化されているが、打ち込まれている画鋲に対する差入れ動作とこれを手前に起こす動作は必ずしも簡単にはできない場合もある。より簡単に抜き取ることのできる構造・用具が求められている。
【００１３】
本発明が解決しようとする課題は、かかる従来技術における問題点を解消し、準備作業も含めて従来のものと比べて操作が簡単であり、打ち込む前に画鋲が複数並んでしまったり詰まったりする不具合が生じず、かつ大量に連続処理でき、画鋲打ち作業の効率を高めることができる、実用性の高い画鋲打ち用具を提供することである。
【００１４】
なおまた、本発明が解決しようとする課題は、従来技術における問題点を解消し、画鋲を抜くための構造・用具として、より単純な構造で、かつ簡単・確実に抜き取り作業のできる、画鋲抜き構造・画鋲抜き用具を提供することである。
【課題を解決するための手段】
【００１５】
本願発明者は上記課題について検討した結果、特に傘部が磁性体製で平型の、最も使用頻度が高い画鋲を適用対象とする画鋲打ち用具において、画鋲１個ずつで、確実に、打ち込み用の所定の位置に位置させることのできる構造に想到したこと、また、より単純な構造で、かつ簡単・確実に抜き取り作業のできる画鋲抜き構造に想到したことに基づいて、本発明に至った。すなわち、上記課題を解決するための手段として本願で特許請求される発明、もしくは少なくとも開示される発明は、以下の通りである。
【００１６】
（１）  傘部が磁性体製の画鋲を連続的に打つことのできる、本体とこれに取り付けられる押し込み体とからなる画鋲打ち用具であって、
該本体は画鋲収容ケースと、該画鋲収容ケースとの間が画鋲落下用孔により連通していて後記押し棒部が収容されかつ先端が画鋲の打ち口となるシリンダとからなり、
該押し込み体は、該画鋲落下用孔位置に合わせて先端位置を調節可能な押し棒部と、該押し棒部に設けられていてこれを操作するための把持部とからなり、
該画鋲落下用孔は画鋲がその傘部を後方側にして落下できるよう落下方向と直交する断面がＴ字状に形成されており、
該シリンダにはその内部における該押し棒部の移動を所定位置範囲内に規制するための押さえピンが設けられ、
該押し棒部は該画鋲落下用孔から落下してきた画鋲を傘部において付着させる画鋲付着部と、該画鋲付着部の後方に設けられた弾性手段とを備えてなり、
かかる構成により、該画鋲収容ケースには複数の画鋲を収容可能であり、収容された画鋲は該画鋲落下用孔を通して該押し棒部の画鋲付着部に付着可能であり、該把持部を前方に押して移動させることによって該画鋲付着部が前方に押出され、該把持部への押しが解除されると該弾性手段により該押し込み体が元の位置に戻る、画鋲打ち用具。
（２）  Ｔ字状をなす前記画鋲落下用孔のうち画鋲傘部用の孔部と連続して、画鋲傘部が案内されるガイド溝が設けられていることを特徴とする、（１）に記載の画鋲打ち用具。
（３）  前記ガイド溝の深さは、用いられる画鋲の傘部における縁−針部間距離よりも小であり、それにより、該ガイド溝に案内された画鋲は傘部の縁によって該ガイド溝内を転動可能であることを特徴とする、（２）に記載の画鋲打ち用具。
（４）  前記把持部は前記本体よりも大径の容器状の形状であることを特徴とする、（１）ないし（３）のいずれかに記載の画鋲打ち用具。
（５）  前記押し棒部には、前記画鋲落下用孔位置に合わせて先端位置を調節するための調節用ネジが設けられていることを特徴とする、（１）ないし（４）のいずれかに記載の画鋲打ち用具。
（６）  前記画鋲収容ケースは後方の第一室と、前方の第二室と、これら両室を連通させる室間孔とからなり、該第一室は画鋲が最初に収容される室であり、該第二室は該第一室から該室間孔を通して移動する画鋲を受けて連設されている前記画鋲落下用孔を通して前記シリンダ方向へと画鋲を供給するための室であることを特徴とする、（１）ないし（５）のいずれかに記載の画鋲打ち用具。
（７）  前記第一室は画鋲貯蔵用の室であり、前記第二室は該第一室よりも幅が狭く形成されていることを特徴とする、（６）に記載の画鋲打ち用具。
【００１７】
（８）  前記画鋲付着部の端面には磁石部位と磁石以外の磁性体部位が設けられていることを特徴とする、（１）ないし（７）のいずれかに記載の画鋲打ち用具。
（９）  前記磁石部位は前記画鋲付着部端面下段に、前記磁性体部位は同じく上段に設けられていることを特徴とする、（８）に記載の画鋲打ち用具。
（１０）  前記磁石部位と前記磁性体部位とは絶縁されており、これらを電極とする画鋲付着報知回路が設けられていることを特徴とする、（８）または（９）に記載の画鋲打ち用具。
（１１）  前記画鋲付着報知回路の報知手段は発光素子であり、前記画鋲付着部への画鋲付着によって前記磁石部位と前記磁性体部位とが導通し、それにより発光素子が点灯するものであることを特徴とする、（１０）に記載の画鋲打ち用具。
【００１８】
（１２）  前記画鋲落下用孔の下端部と前記画鋲付着部上端部との間は、画鋲一個分以上の距離により離間していることを特徴とする、（１）ないし（１１）のいずれかに記載の画鋲打ち用具。
（１３）  前記押し棒部には、長手方向に前記押さえピンに摺設されるガイドが設けられ、前記弾性手段は該押し棒部内に設けられていることを特徴とする、（１）ないし（１２）のいずれかに記載の画鋲打ち用具。
（１４）  前記本体には前記打ち口を被覆可能なキャップが附属していることを特徴とする、（１）ないし（１３）のいずれかに記載の画鋲打ち用具。
（１５）  画鋲抜き構造を供えていることを特徴とする、（１）ないし（１４）のいずれかに記載の画鋲打ち用具。
（１６）  前記画鋲抜き構造は、打ち込まれた画鋲の傘部の下に差し込むための差入れ板と、適用される画鋲の傘部厚さ以上の距離にて該差入れ板と対向して設けられた傘部押さえ板とが一体となっており、該差入れ板にはこれを画鋲傘部の下に差し込む際に画鋲の針部を通すための欠切部が設けられていることを特徴とする、（１５）に記載の画鋲打ち用具。
【００１９】
（１７）  前記傘部押さえ板には本画鋲抜き構造による画鋲抜きの操作を行うための画鋲抜き用把持部が設けられていることを特徴とする、（１６）に記載の画鋲打ち用具。
（１８）  打ち込まれた画鋲の傘部の下に差し込むための差入れ板と、適用される画鋲の傘部厚さ以上の距離にて該差入れ板と対向して設けられた傘部押さえ板とが一体となっている画鋲抜き用具であって、該差入れ板にはこれを画鋲傘部の下に差し込む際に画鋲の針部を通すための欠切部が設けられていることを特徴とする、画鋲抜き用具。
（１９）  前記傘部押さえ板には本画鋲抜き用具の操作を行うための画鋲抜き用把持部が設けられていることを特徴とする、（１８）に記載の画鋲抜き用具。
【発明の効果】
【００２０】
本発明の画鋲打ち用具は上述のように構成されるため、これによれば、準備作業も含めて従来のものと比べて操作が簡単となり、画鋲打ち作業を効率的に行うことができる。また、打ち込む前に画鋲が複数並んでしまったり詰まったりする不具合が生じず、かつ大量に連続処理できるため、画鋲打ち作業の効率を高めることができる。
【００２１】
つまり本発明の画鋲打ち用具によれば、下記の特長的効果がある。
＜１＞画鋲１個ずつで、確実に、打ち込みのための所定の位置に位置させる準備ができる。
＜２＞打ち込み作業が終了するまで１個の画鋲のみを当該所定の位置に位置せしめることができ、複数個が並んだり詰まったりして作業に支障を来すことがない。
＜３＞事前にマガジン等に画鋲を整列させるような煩雑な準備作業が不要である。
＜４＞画鋲を多量に準備できるため、連続処理に便利である。
【００２２】
また、画鋲付着部端面に磁石部位と磁石以外の磁性体部位を備えた場合の本発明用具では、画鋲を打ち込む直前の所定位置への準備が、画鋲の姿勢・向きが適切な状態で確実になされ、連続的な作業を中断させるような支障を来すことがない。
【００２３】
また、画鋲付着報知回路を備えた場合の本発明用具では、画鋲を打ち込む準備ができたことを簡単に知ることができ、便利である。
【００２４】
また、本発明の画鋲抜き構造、画鋲抜き用具は上述のように構成されるため、これによれば、より単純な構造で、かつ簡単・確実に抜き取り作業を行うことができる。
【発明を実施するための最良の形態】
【００２５】
以下、本発明を図面により詳細に説明する。以下の各説明では、基本的な機能が共通する要素については同一の符号で示す。したがって、同一符号により示される要素であっても厳密には異なる構造である場合もある。
図１Ａ〜１Ｄは、本発明画鋲打ち用具の実施例について、その構成を示す図である。このうち、
図１Ａは、実施例全体の分解斜視図（用具後方寄りから）、
図１Ｂは、実施例全体の分解斜視図（用具前方寄りから）、
図１Ｃは、実施例の押し棒部の分解斜視図（用具前方寄りから）、そして、
図１Ｄは、実施例の押し棒部の分解斜視図（用具後方寄りから）である。
【００２６】
これらに図示するように本画鋲打ち用具１０は、傘部が磁性体製の画鋲を連続的に打つことのできる用具であって、本体２０とこれに取り付けられる押し込み体５０とからなり、本体２０は画鋲収容ケース３０と、画鋲収容ケース３０との間が画鋲落下用孔３１により連通していて後記押し棒部６０が収容されかつ先端が画鋲の打ち口となるシリンダ４０とからなり、押し込み体５０は、画鋲落下用孔３１位置に合わせて先端位置を調節可能な押し棒部６０と、押し棒部６０に設けられていてこれを操作するための把持部８０とからなり、画鋲落下用孔３１は画鋲がその傘部を後方側にして落下できるよう落下方向と直交する断面がＴ字状に形成されており、シリンダ４０にはその内部における押し棒部６０の移動を所定位置範囲内に規制するための押さえピン４１が設けられ、押し棒部６０は画鋲落下用孔３１から落下してきた画鋲を傘部において付着させる画鋲付着部６１と、画鋲付着部６１の後方に設けられた弾性手段６６とを備えてなるものであることを、主たる構成とする。
【００２７】
なお本願において「落下」とは、画鋲が本用具の画鋲収容ケースからシリンダへと移動することをいうのであって、必ずしも厳密に重力方向への移動に限られるものではない。
【００２８】
かかる構成により本用具１０では、まず本体２０の画鋲収容ケース３０内部に、図示しない画鋲入口から複数の画鋲が収容される。本用具１０においては、画鋲を入れる際にこれらを整列させたり、特別なマガジン等に並べてそれを充填したりする必要はなく、複数の画鋲をそのままランダムに、画鋲入口を通して投入すればよいため、省力効果が大きい。
【００２９】
画鋲収容ケース３０内に投入、収容された画鋲は、本用具１０を把持する使用者による振動動作等によって画鋲落下用孔３１位置に来ることにより、画鋲がその傘部を後方側にして落下できるよう落下方向と直交する断面がＴ字状に形成された画鋲落下用孔３１を通して連通するシリンダ４０へと落下移動する。画鋲落下用孔３１は、これを一度に通ることができる画鋲が１個だけであるように形成されているため、シリンダ４０方向へは一度に１個の画鋲のみが落下移動する。
【００３０】
一方、シリンダ４０内に収容されている押し棒部６０は、画鋲落下用孔３１位置に合わせて、予め先端位置すなわち画鋲付着部６１の位置が調節された状態とされる。つまり、画鋲落下用孔３１の画鋲傘部が面する内壁面と同一平面になるように先端位置が調節された状態とされる。そして、画鋲落下用孔３１からシリンダ４０へと落下してきた１個の画鋲は、その傘部において、押し棒部６０の先端位置に設けられた画鋲付着部６１に付着せしめられる。つまり画鋲付着部６１には、１個の画鋲が付着する。本願発明が適用対象とする鉄製など磁性体製の画鋲を、画鋲付着部６１に付着せしめる方法は、後述するように磁力による方法を用いればよい。
【００３１】
１個の画鋲が画鋲付着部６１に付着した後、本用具１０は、画鋲の打ち口となるシリンダ４０の先端が、画鋲打ち込み対象となる被処理物に対して当接せしめられる。ここで被処理物とは、固定することを目的とする紙等シート状の被固定処理物と、該被固定処理物が固定される相手である固定媒体との全体、または単独の固定媒体のことをいう。「全体」とは、被固定処理物が固定媒体に重ねられて接している状態をいう。
【００３２】
また、被固定処理物には、紙、布、その他成樹脂製シートなど種々の材料により形成されたシート状の物品を広く含む。また固定媒体には、木製その他、本願発明がその適用対象とする磁性体製画鋲の針を刺して固定することができるものであれば、あらゆる物品を含む。
【００３３】
シリンダ４０の先端が被処理物に対して当接せしめられた後、押し込み体５０の把持部８０が使用者の操作によって、前方すなわち被処理物方向に押されて移動せしめられる。つまり、それまで静止位置（「初期位置」ともいう。）であった押し棒部６０に対する押しの作用がなされる。これにより押し棒部６０中の前方に位置して設けられる画鋲付着部６１は、その先端に１個の画鋲を付着させた状態で、前方すなわち被処理物に向かって押出される。画鋲付着部６１が画鋲の打ち口たるシリンダ４０の先端に達する過程で、付着した画鋲は被処理物に対して打ち込まれていく。そして画鋲付着部６１がシリンダ４０の先端に達した時点で、被処理物に対する画鋲の打ち込みは完了する。
【００３４】
なお、画鋲の打ち込みがなされる過程では、把持された把持部８０へと伝わる被処理物からの抵抗力が使用者には感じ取られ、打ち込みが完了する時には、さらに大きな抵抗力として感じ取られる。
【００３５】
なおまた、押さえピン４１により、シリンダ４０内部の押し棒部６０の移動は、画鋲付着部６１がシリンダ４０先端への到達に十分な程度に移動できるよう、所定位置範囲内に規制される。
【００３６】
被処理物に対する画鋲の打ち込みが完了し、使用者の操作による押し込み体５０の把持部８０に対する押し作用が解除されると、画鋲付着部６１の後方に設けられた弾性手段６６の弾力による回復作用によって、押し込み体５０全体は元の静止位置へと戻っていく。なお弾性手段６６としては、直線方向の収縮が可能なものであればその種類は限定されないが、たとえばバネは、本発明において好適に用いられるものである。
【００３７】
押し込み体５０（把持部８０）への押し作用と、画鋲打ち込み完了後の当該作用の解除によって、シリンダ４０中を押し棒部６０が移動している間は、画鋲落下用孔３１はその下端部が押し棒部６０によって下方から閉鎖されているため、画鋲収容ケース３０中に存在する他の画鋲が、シリンダ４０方向へと落下してくることはない。したがって、１個の画鋲の打ち込み作業がなされている間に、他の画鋲がシリンダ４０へと落下してきて、押し棒部６０の移動に支障を来すということはない。
【００３８】
押し作用の解除により押し込み体５０が静止位置（初期位置）に戻った状態のとき、押し棒部６０先端部の画鋲付着部６１は、上述した事前の調節により、画鋲落下用孔３１の画鋲傘部が面する内壁面と同一平面をなす状態となっている。この状態で、本用具１０を把持する使用者による振動動作等がなされることで、新たに、画鋲収容ケース３０内の画鋲１個が画鋲落下用孔３１位置に来て、画鋲落下用孔３１を通して連通するシリンダ４０へと落下移動する。このようにして新たな１個の画鋲は、既に述べた過程を経て被処理物に対して打ち込み処理される。こうして本画鋲打ち用具１０は、画鋲収容ケース３０に収容された複数の画鋲を連続的に打つことができる。
【００３９】
図２Ａは、本発明画鋲打ち用具の実施例の画鋲落下用孔付近の構成を示す斜視図である。また、
図２Ｂは、本発明画鋲打ち用具の実施例の画鋲落下用孔付近の構成を示す平面図である。これらに図示するように本画鋲打ち用具は、Ｔ字状をなす画鋲落下用孔３１のうち、画鋲Ｇ傘部用の孔部と連続して、画鋲Ｇ傘部が案内されるガイド溝３３が設けられた構成を備える。各図においてガイド溝３３の深さは、画鋲Ｇの傘部における縁−針部間距離よりも小であるように構成される。
【００４０】
またガイド溝３３の溝幅は、画鋲Ｇがその傘部によって円滑に転動可能なように、つまり余裕がなくて転動しにくかったり、逆に余裕があり過ぎて傘部が傾斜して転動しにくくなったり、２個以上の画鋲が傘部で重なってしまうことが生じないよう、画鋲Ｇ傘部の厚さよりも若干広い程度に形成される。たとえば汎用される傘部厚さ約１ｍｍ画鋲の場合は、ガイド溝幅を１．２ｍｍ程度にする、等である。
【００４１】
かかる構成により本画鋲打ち用具では、画鋲Ｇがまだ画鋲収容ケース内にある段階において、画鋲Ｇはその傘部でもってガイド溝３３に案内される。ガイド溝３３に案内された画鋲Ｇは、その傘部の縁がガイド溝３３の床面に接地しても、針部は落下用孔床３２の床面に接触することがない。したがって、針部と落下用孔床３２との間の摩擦が生じないため、画鋲Ｇはその傘部の縁によって、ガイド溝３３内を円滑に転動することができる。
【００４２】
ガイド溝３３は、Ｔ字状をなす画鋲落下用孔３１の画鋲Ｇ傘部用の孔部と連続しているため、ガイド溝３３内を転動する画鋲Ｇは、その転動の中で、いずれ画鋲落下用孔３１の位置に到達し、それを通してシリンダ４０（図１Ａ等）へと落下することができる。
【００４３】
ガイド溝３３の幅は、画鋲Ｇがその傘部によって円滑に転動可能な程度にかつ２枚以上が傘部で重なってしまわない程度の広さにて形成されているため、ガイド溝３３に収まる限り、複数個の画鋲Ｇが整列待機できる。しかも、画鋲Ｇはガイド溝３３にその傘部が挟まった形態となるため、一度入れば容易にはガイド溝３３から外れてしまうということがない。このようにして、上述のように、画鋲落下用孔３１を通しての落下の準備がなされる。
【００４４】
なお図２Ａ、２Ｂは、後述する二室構成の画鋲収容ケースの構造をも示すものであるが、本発明の画鋲打ち用具はかかる構成に限定されない。つまり、画鋲収容ケースとしては一室構成であり、かつ画鋲落下用孔と連続して設けられたガイド溝を備えた構成も、本発明の範囲内である。
【００４５】
図１Ｃに示すように、本発明画鋲打ち用具１０は、押し棒部６０に、画鋲落下用孔３１位置に合わせて先端位置を調節するための調節用ネジ６２を設けた構成とすることができる。これにより、画鋲落下用孔３１位置と押し棒部６０先端の画鋲付着部６１との位置調整を、容易に行うことができる。なお調節用ネジ６２としては、イモネジを好適に用いることができる。
【００４６】
図３は、本発明画鋲打ち用具の実施例の構成を示す側断面図である。ここに示すように本用具１０の把持部８０は、本体２０よりも大径の容器状の形状とすることができる。かかる構成により、使用者は本用具１０を把持しやすく、また押しの動作を円滑・容易に行うことができる。
【００４７】
図示するように、本体２０には、打ち口をなすシリンダ４０の先端を被覆可能なキャップ９０を附属させた構成とすることができる。
【００４８】
図４Ａは、図３に示す実施例の要部についてより詳細に示した側断面図、また、
図４Ｂは、図３に示す実施例の要部について、押し込み体を押し込んだ状態を示す側断面図である。さらに、
図５Ａは、図４Ａで示した実施例の要部断面および押し棒部の外観を取り出して示した斜視の説明図、同じく、
図５Ｂは、図４Ｂで示した実施例の要部断面および押し棒部の外観を取り出して示した斜視の説明図である。
【００４９】
これらに図示するように、本発明画鋲打ち用具１０は、上述した構成に加えて、画鋲収容ケース３０が後方の第一室３０Ａと、前方の第二室３０Ｂと、これら両室３０Ａ、３０Ｂを連通させる室間孔３５とからなる構成とすることができる。第一室３０Ａは画鋲が最初に収容される室であり、第二室３０Ｂは第一室３０Ａから室間孔３５を通して移動する画鋲を受けて、本第二室３０Ｂと連設されている画鋲落下用孔３１を通してシリンダ４０方向へと画鋲を供給するための室である。
【００５０】
かかる二室構成の画鋲打ち用具１０においては、画鋲はまず、図示しない画鋲入口を通して第一室３０Ａに入れられる。第一室３０Ａはいわば、画鋲の貯蔵室といえる。第一室３０Ａ内に収容された画鋲は、本用具１０を把持する使用者による振動操作等によって、室間孔３５を通して、前方の第二室３０Ｂへと移動する。第二室３０Ｂに移動した画鋲は、前出図２Ａ等で説明した過程を経て、第二室３０Ｂと連設されている画鋲落下用孔３１を通してシリンダ４０方向へと落下する。
【００５１】
図示するように本画鋲打ち用具１０においては、第二室３０Ｂは、第一室３０Ａよりも幅を狭く形成するものとすることができる。つまり、第一室３０Ａは画鋲貯蔵用の室であるため、可能な限り容積を大きくすれば、大量の画鋲打ち作業を行う上で便利である。したがって第一室３０Ａの容積は、使用者が本用具を容易に把持できて、連続的な押しの動作を行うのに支障がなければ、大きいほどよい。
【００５２】
一方、第二室３０Ｂは、画鋲を打ち込む準備として重要な、画鋲の姿勢決めをして１個ずつの画鋲を落下により供給することを制御する目的を有する。かかる目的を達せられる限り、その容積は特に問題ではない。要するに、ガイド溝３３への画鋲の案内誘導を円滑にできる程度の空間が確保できていればよい。したがって本発明画鋲打ち用具１０においては、第二室３０Ｂの方が狭い幅となる構成が、より好ましい。
【００５３】
図５Ａ、５Ｂに、また前出図１Ｃにおいても示されているが、本画鋲打ち用具１０は、画鋲付着部６１の端面に、磁石部位６１Ｍと、磁石以外の磁性体部位６１Ｋとが設けられた構成とすることができる。
【００５４】
かかる構成とすることにより、画鋲落下用孔３１から落下してくる画鋲Ｇは、それが鉄など磁性体製のものであるため、傘部において磁石部位６１Ｍに付着する。また磁石部位６１Ｍへの付着により磁化した画鋲Ｇは、傘部において磁性体部位６１Ｋとも付着する。したがって画鋲Ｇは、磁石部位６１Ｍおよび磁性体部位６１Ｋの両者によって、画鋲付着部６１に容易にかつ安定的に、傘部において付着することができる。
【００５５】
これらに図示するように、画鋲付着部６１において、磁石部位６１Ｍは特に画鋲付着部６１端面下段に、また磁性体部位６１Ｋは同じく特に上段に設けられた構成とすることができる。
【００５６】
かかる構成とすることにより、画鋲落下用孔３１から落下してくる画鋲Ｇは、落下の途中に存在する磁性体部位６１Ｋ位置を通るときも素通りして、その傘部の下端部が、画鋲付着部６１端面下段に設けられた磁石部位６１Ｍに到達するまでは、画鋲付着部６１端面に付着することはない。そして、磁石部位６１Ｍに画鋲Ｇの傘部の下端部が到達した時点で、磁石部位６１Ｍによる磁力作用を受け、画鋲付着部６１端面へ傘部が付着する動作が生じる。同時に、画鋲Ｇは磁石部位６１Ｍによって磁化されるため、先に素通りした、上方に位置する磁性体部位６１Ｋにも、傘部において付着する動作が生じる。以上の作用により、落下してきた画鋲Ｇは、画鋲付着部６１端面に、確実かつ円滑に付着することができる。
【００５７】
もし磁石部位と磁性体部位の上下関係を逆にしてしまうと、落下してくる画鋲が上方に位置する磁石部位の上端位置に来た時点で、画鋲は磁石部位に付着してしまい、画鋲付着部端面において上方にずれた形で付着してしまうことになる。つまり、画鋲は途中に引っ掛かった不完全な付着状態となってしまい、不都合である。したがって上述のように、磁石部位はより下段に、磁性体部位は上段に、それぞれ設けるようにすることが望ましい。
【００５８】
図５Ａ等に示すように、本画鋲打ち用具１０では、磁石部位６１Ｍと磁性体部位６１Ｋとは絶縁された配置構成とすることができる。そして本用具は、画鋲付着部６１に設けられたこれら２つの部位を電極とする画鋲付着報知回路（図５Ａ等では図示せず）を備えた構成とすることができる。当該回路には、通電によって作動する電気的報知手段が設けられている。なお、前出図１Ｃ、図１Ｄには、電気的報知手段として後述する発光素子を用いた画鋲付着報知回路７０が示されている。
【００５９】
かかる構成とすることにより、画鋲が画鋲付着部６１に付着するとそれによって、磁石部位６１Ｍと磁性体部位６１Ｋとの間が導通し、画鋲付着報知回路に電流が流れ、電気的報知手段が作動し、それが画鋲付着の報知となる。
【００６０】
画鋲付着報知回路の電気的報知手段は、電球、発光ダイオード等の発光素子であり、画鋲付着部６１への画鋲付着によって、磁石部位６１Ｍと磁性体部位６１Ｋとが導通し、それにより発光素子が点灯する構成とすることができる。なお、電気的報知手段は点灯手段、発光手段のみに限定されるものではない。たとえば、導通によって姿勢や位置を変える部品を用いるというような、他の視覚的手段でも、あるいはまたブザー等の音声による聴覚的な手段であってもよい。なお、画鋲付着報知回路の具体的構成、本用具における配設箇所等は、適宜設計可能である。また、図５Ａ等において符号６３で示されているものは、画鋲付着回路を構成する導電部位の例である。
【００６１】
前出図４Ａ等にも示されるように、本発明画鋲打ち用具１０は、画鋲落下用孔３１の下端部と、画鋲付着部６１上端部との間が、画鋲一個分以上の距離により離間している構成とすることができる。かかる構成とすることにより、万が一画鋲が針部を下に向けた状態で画鋲落下用孔３１に挟まってしまう事態が発生したとしても、既に画鋲付着部６１に付着している画鋲を被処理物に打ち込むことには支障がない。
【００６２】
また、前出図１Ａ他にも示されるように、本発明画鋲打ち用具１０の押し棒部６０は、その長手方向に、押さえピン４１に摺設されるガイド６５を設けた構造とし、さらに弾性手段６６を押し棒部６０内に設けた構成とすることができる。かかる構成により、本用具１０の押し棒部６０における前後方向移動範囲の制御が、押さえピン４１との協働作用によってなされる。
【００６３】
本発明の画鋲打ち用具は、画鋲抜き構造を供えた構成とすることもできる。
図６は本発明に係る画鋲抜き構造の基本構成を示す説明図である。図示するように本画鋲抜き構造Ｎ１００は、打ち込まれた画鋲の傘部の下に差し込むための差入れ板Ｎ２００と、適用される画鋲の傘部厚さ以上の距離にて差入れ板Ｎ２００と対向して設けられた傘部押さえ板Ｎ３００とが一体となっており、差入れ板Ｎ２００にはこれを画鋲傘部の下に差し込む際に画鋲の針部を通すための欠切部Ｎ２５０が設けられていることを、主たる構成とする。
【００６４】
かかる構成を備えた本画鋲抜き構造Ｎ１００により、まず、打ち込まれた画鋲の傘部の下に差入れ板Ｎ２００が差し込まれるが、この時、欠切部Ｎ２５０に画鋲の針部が通るように差し込まれる。画鋲傘部は、差入れ板Ｎ２００と傘部押さえ板Ｎ３００とにより形成される傘部用空隙Ｎ４００に収容される状態となる。このように画鋲に対して画鋲抜き構造Ｎ１００があてがわれた状態となった後、画鋲抜きの操作が行われる。
【００６５】
図７Ａは、本発明に係る画鋲抜き構造における操作を示す側面視の説明図である。本図で示す画鋲抜き構造Ｎ１００には、画鋲抜き用把持部Ｎ５００が設けられていて、画鋲抜き用具Ｎ９００が形成されている。図示するように、まず、打ち込まれた画鋲Ｇの傘部の下に差入れ板Ｎ２００が差し込まれる（操作ａ）。この操作によって画鋲Ｇは、その傘部が本画鋲抜き構造Ｎ１００によって拘束される。ついで使用者によって把持される画鋲抜き用把持部Ｎ５００が上方、略上方、または斜め上方（操作ｂ）へと移動せしめられる。これによって画鋲Ｇは打ち込まれていた被処理物から抜き取られる。
【００６６】
なお図７Ｂは、画鋲抜き用具の従来例における操作を示す側面視の説明図である。従来のバール型の用具Ｘ１００でも画鋲Ｇの傘部の下に用具Ｘ１００の一部を差し入れる操作（操作ａ）がなされるが、本発明の画鋲抜き構造Ｎ１００のように傘部押さえ板Ｎ３００がなく、また欠切部Ｎ２５０がなくて画鋲傘部に対する拘束が少ないため、差入れ後に取っ手を下方に移動させて（操作ｂ）画鋲Ｇの傘部を起こそうとする場合、作用領域が狭い。したがって、用具Ｘ１００が外れやすいなど、決して操作性・効率が良いとはいえない。また、差し入れる角度を一定にすることは容易ではなく、その点でも操作性は良くない。
【００６７】
しかし本発明の画鋲抜き構造Ｎ１００、画鋲抜き用具Ｎ９００は、上述のように、作用領域が広い面となっており、画鋲Ｇの傘部が良好に拘束されるため、さらに画鋲Ｇに対して差し入れる角度も一定であるため、操作ａ、操作ｂによって、いわば画鋲Ｇに対して本構造Ｎ１００または本用具Ｎ９００により引っ掻くように操作することで、容易にかつ効率よく画鋲抜き作業を行うことができる。
【００６８】
なお、図６、図７Ａにて示した画鋲抜き構造Ｎ１００は、これに敢えて画鋲抜き用把持部Ｎ５００を設けないものも、本発明に係る画鋲抜き用具として用いることは可能である。ただし画鋲抜き用把持部を設けることにより、操作性は高くなり、作業効率も高くすることができる。
【００６９】
図８、図９および図１０はいずれも、本発明に係る画鋲抜き構造および画鋲抜き用具の実施例を示す斜視図である。これらの実施例はいずれも、上述した本発明画鋲打ち用具に装着使用可能な構成である。しかしながら、単独の画鋲抜き用具として用いることもできる。なお、各図に示した画鋲抜き構造Ｎ１０８、Ｎ１０９、Ｎ１１０は、これに敢えて画鋲抜き用把持部Ｎ５０８、Ｎ５０９、Ｎ５１０を設けないものも、本発明に係る画鋲抜き用具として用いることは可能である。ただし画鋲抜き用把持部を設けることにより、操作性は高くなり、作業効率も高くすることができる。
【００７０】
＜画鋲打ち用具実施例について＞
以下、本発明の画鋲打ち用具の実施例について、さらに説明する。
＜特長＞
１．画鋲収容ケースが備えられており、画鋲を多量に収納して効率的に画鋲打ち作業を行える。さらに、画鋲を打ち終わった後は押し込み体が静止位置に戻り、それによって次の画鋲の準備がなされるため、大量の画鋲打ち作業を連続して行える。
２．画鋲の姿勢を制御して画鋲打ち用の押し棒部方向へ落下させ、そこに適切に位置させる（付着させる）ことができる。
３．ガイド溝の深さを規定することにより画鋲の運動性がよく、シリンダへの画鋲供給準備が円滑である。
４．画鋲を打ち込む準備が整ったことを報知する手段を設けることができ、その場合は、一々画鋲の準備状況を直接覗いて確認する必要が無く便利である。
【００７１】
５．画鋲抜き構造を備えた場合は、一つの用具で画鋲の打ち込みと抜き取りができる。
６．一旦画鋲が画鋲付着部に付着すると、本用具の姿勢に関わらず、画鋲を打つ操作が完了するまで画鋲は保持される。本用具を逆さまにしても可能である。
７．画鋲打ちが中止・中断されて押し棒部が後方に戻る場合でも、画鋲付着部に付着した画鋲は保持され、次の画鋲が収容ケース側からシリンダ側へ落下してくる不都合は、防止される。
８．画鋲収容ケースを二室構造とすることにより、シリンダへの画鋲供給準備において（つまり第二室において）画鋲の運動性が良い。
【００７２】
９．操作は手全体で押し込み体を押す、それを解除する、という動作の繰り返しであり、疲労が少ない。
１０．画鋲を収容する時以外は、画鋲に触れずに、打つ作業を行える。
１１．押し棒部の先端位置調節用の調節用ネジを設けることにより、先端位置と画鋲落下位置との調節が便利である。
【００７３】
＜本画鋲打ち用具の形状、サイズ等について＞
１．画鋲収容ケースを、または画鋲収容ケースとシリンダを透明な材料により構成すれば、収容されている画鋲の量、画鋲の運動状態・姿勢などを容易に視認できる。
２．キャップを設けることにより、すっきりとした良好な外観となる。また、押し込み体を押し込んだ状態で固定できるような構造のキャップとした場合には、不使用時には本用具全体のサイズを小さくすることができる。
【００７４】
３．本画鋲打ち用具は、使用する画鋲のサイズに適合した仕様のものを設計すればよい。
４．また、たとえば押し棒部の画鋲付着部のサイズは、画鋲傘部径のサイズと合わせればよい。
５．本体内に、画鋲打ち込みのためのシリンダを内蔵させた構造のため、用具全体をコンパクトなものとすることができる。したがって取扱いしやすい。
６．本用具の全体形状は、円柱形であると把持しやすく、かつ操作しやすい。もっとも本用具は、かかる形状に限定されるものではない。
【００７５】
＜本画鋲打ち用具の使用方法について＞
１．二室構成の本用具の場合、第二室中の画鋲をガイド溝に円滑に供給できるように、使用者によって振動、振りの動作が与えられればよい。
２．一つの用具では、一定種類、一定仕様の画鋲を用いる。なお、針の曲がった画鋲や錆びた画鋲の使用は、避けた方がよい。
【産業上の利用可能性】
【００７６】
以上説明した通り、本発明の画鋲打ち用具および画鋲抜き構造・画鋲抜き用具は極めて実用性の高いものであり、たとえば大量のポスター貼り作業が必要な場合にも、大いに便利なものである。したがって、産業上利用価値が高い発明である。
【図面の簡単な説明】
【００７７】
【図１Ａ】本発明画鋲打ち用具の実施例について、その構成を示す図であり、実施例全体の分解斜視図（用具後方寄りから）である。
【図１Ｂ】本発明画鋲打ち用具の実施例について、実施例全体の分解斜視図（用具前方寄りから）である。
【図１Ｃ】本発明画鋲打ち用具の実施例について、押し棒部の分解斜視図（用具前方寄りから）である。
【図１Ｄ】本発明画鋲打ち用具の実施例について、押し棒部の分解斜視図（用具後方寄りから）である。
【図２Ａ】本発明画鋲打ち用具の実施例の画鋲落下用孔付近の構成を示す斜視図である。
【図２Ｂ】本発明画鋲打ち用具の実施例の画鋲落下用孔付近の構成を示す平面図である。
【図３】本発明画鋲打ち用具の実施例の構成を示す側断面図である。
【図４Ａ】図３に示す実施例の要部についてより詳細に示した側断面図である。
【図４Ｂ】図３に示す実施例の要部について、押し込み体を押し込んだ状態を示す側断面図である。
【００７８】
【図５Ａ】図４Ａで示した実施例の要部断面および押し棒部の外観を取り出して示した斜視の説明図である。
【図５Ｂ】図４Ｂで示した実施例の要部断面および押し棒部の外観を取り出して示した斜視の説明図である。
【図６】本発明に係る画鋲抜き構造の基本構成を示す説明図である。
【図７Ａ】図６に示した画鋲抜き構造における操作を示す側面視の説明図である。
【図７Ｂ】画鋲抜き用具の従来例における操作を示す側面視の説明図である。
【図８】本発明に係る画鋲抜き構造および画鋲抜き用具の実施例を示す斜視図である。
【図９】本発明に係る画鋲抜き構造および画鋲抜き用具の実施例を示す斜視図である。
【図１０】本発明に係る画鋲抜き構造および画鋲抜き用具の実施例を示す斜視図である。
【符号の説明】
【００７９】
１０…画鋲打ち用具
２０…本体
３０…画鋲収容ケース
３０Ａ…第一室、  ３０Ｂ…第二室
３１…画鋲落下用孔
３２…落下用孔床
３３…ガイド溝
３４…室間壁
３５…室間孔
３７、３８…画鋲収容ケース外郭構造
４０…シリンダ
４１…押さえピン
５０…押し込み体
６０…押し棒部
６１…画鋲付着部
６１Ｋ…磁性体部位、  ６１Ｍ…磁石部位
６２…調節用ネジ
６３…導電部位
６５…ガイド
６６、６８…弾性手段
７０…画鋲付着報知回路
８０…把持部
９０…キャップ
【００８０】
Ｇ…画鋲
Ｎ１００、Ｎ１０８、Ｎ１０９、Ｎ１１０…画鋲抜き構造
Ｎ２００…差入れ板
Ｎ２５０…欠切部
Ｎ３００…傘部押さえ板
Ｎ４００…傘部用空隙
Ｎ５００、Ｎ５０８、Ｎ５０９、Ｎ５１０…画鋲抜き用把持部
Ｎ９００、Ｎ９０８、Ｎ９０９、Ｎ９１０…画鋲抜き用具
Ｘ１００…従来のバール形の画鋲抜き用具
ａ、ｂ…画鋲抜き用具操作における動作方向
【図１Ａ】
2009297927.tif 000003
【図１Ｂ】
2009297927.tif 000004
【図１Ｃ】
2009297927.tif 000005
【図１Ｄ】
2009297927.tif 000006
【図２Ａ】
2009297927.tif 000007
【図２Ｂ】
2009297927.tif 000008
【図３】
2009297927.tif 000009
【図４Ａ】
2009297927.tif 000010
【図４Ｂ】
2009297927.tif 000011
【図６】
2009297927.tif 000012
【図７Ａ】
2009297927.tif 000013
【図７Ｂ】
2009297927.tif 000014
【図５Ａ】
2009297927.tif 000015
【図５Ｂ】
2009297927.tif 000016
【図８】
2009297927.tif 000017
【図９】
2009297927.tif 000018
【図１０】
2009297927.tif 000019